(57)【特許請求の範囲】
【請求項１】
一対のステムを備える二連式エアゾール容器に用いられる二連式エアゾール用アクチュエータであって、
一対の前記ステムに接続される一対のステム接続部と、一対の前記ステム接続部に連なる筒状のノズル部とを備え、一対の前記ステムから吐出された内容物を前記ノズル部から外部に吐出可能なノズル体と、
前記ノズル部を前方に向けて突出させる貫通孔が設けられた前壁部と、前記ノズル体の両側部を覆う側壁部とを備え、前記二連式エアゾール容器に取り付けられたカバー体と、
前記前壁部に揺動自在に連結されるとともに前記ノズル体の上方に配置され、前記ノズル体の側へ向けて押し下げられることにより前記ノズル体とともに一対の前記ステムを押し下げ操作可能な操作片と、を有し、
前記操作片が、前記前壁部に揺動自在に連結される板状部と該板状部の後端部に該後端部から上方に向けて突出して設けられる突出壁部とを有し、
前記板状部が僅かに下方に向けて凸となるように前後方向及び左右方向に湾曲する板状に形成されており、
前記ノズル体が、内部に流路を備えて一対の前記ステム接続部に接続されるとともに前記ノズル部が設けられた連結体と、前記連結体の上面の前記ノズル部を挟んだ左右両側に設けられた一対の押下げ用の当接壁と、を有し、
前記操作片が、前記板状部の周縁に下方に向けて延びて設けられ、前記操作片が下方に向けて押し下げられたときに前記当接壁に当接して前記ノズル体を下方に向けて押し下げるフランジを有し、
前記フランジが、前記板状部の後端部において、前記突出壁部の下端に連なって前記板状部から下方に向けて突出しており、
前記連結体が、該連結体の上面と後面との間に、前記ノズル部から離れるに連れて前記ステム接続部に近づく方向に傾斜する傾斜面を有し、
前記傾斜面は、前記操作片を押下げ操作して前記ノズル体をストローク端にまで押し下げたときに前記操作片に当接しないように構成されていることを特徴とする二連式エアゾール用アクチュエータ。
【請求項２】
前記操作片が一対の前記ステムを押し切り位置まで押し下げた状態において、前記突出壁部の上端が該突出壁部の前記板状部との連接部分よりも上方に位置する、請求項１に記載の二連式エアゾール用アクチュエータ。
【請求項３】
前記二連式エアゾール容器は、それぞれ前記ステムを備える一対のエアゾール缶を固定部材により並列に並べて固定したものである、請求項１または２に記載の二連式エアゾール用アクチュエータ。
【請求項４】
前記二連式エアゾール容器は、一対の前記ステムを備える１つのエアゾール缶である、請求項１または２に記載の二連式エアゾール用アクチュエータ。
【発明の詳細な説明】
【技術分野】
【０００１】
本発明は、一対のステムを備える二連式エアゾール容器に用いられて、これら一対のステムから内容物を噴出させる二連式エアゾール用アクチュエータに関する。
【背景技術】
【０００２】
従来、一対のステムを有する二連式エアゾール容器としては、それぞれステムを備える一対のエアゾール缶が並列に並べて配置された構成のものと、一１つのエアゾール缶の内部に２つの収容空間を備えるとともに各収容空間に対応した一対のステムを備えた構成のものとが知られている。このような二連式エアゾール容器には、１つの操作片の操作によって各エアゾール缶から同時に内容物を吐出させることができる二連式エアゾール用アクチュエータが用いられる。
【０００３】
例えば特許文献１には、一対のエアゾール缶を並列に並べて固定する固定部材と、一対のエアゾール缶のステムに接続される一対のステム接続部と一対のステム接続部に連なる筒状のノズル部とを備えて一対のステムから吐出された内容物をノズル部から外部に吐出するノズル体と、ノズルを前方に向けて突出させる貫通孔が設けられた前壁部とノズル体の両側部を覆う層壁部とを備えて一対のエアゾール缶に取り付けられたカバー体と、前壁部に揺動自在に連結されるとともにノズル体の上方に配置されてノズル体の側へ向けた押し下げによりノズル体とともに一対のステムを押し下げる操作片と、を有する二連式エアゾール用アクチュエータが記載されている。
【先行技術文献】
【特許文献】
【０００４】
【特許文献１】特開２０１０−５２８１２号公報
【発明の概要】
【発明が解決しようとする課題】
【０００５】
しかしながら、上記特許文献１に記載される二連式エアゾール用アクチュエータでは、操作片は、ステムが押し込まれていない自然状態において、当該ステムの径方向に略平行となる平坦な板状に形成されているので、内容物を吐出させるために使用者が指で操作片を押し下げ、ステムが押し切り位置付近に達すると、操作片が押し下げ方向に対して大きく下向きに傾斜し、その操作に大きな操作力が必要になってその操作が困難になるという問題があった。特に、エアゾール缶に収容された内容物の残量が少なくなると、内容物を吐出させるためのガス圧も低くなり、内容物を吐出させるためには操作片を長く押し続ける必要があるため、その操作がより困難となる。
【０００６】
本発明は、このような問題点を解決することを課題とするものであり、その目的は、一対のステムを備えた二連式エアゾール容器から内容物を吐出させる操作を容易に行うことができる二連式エアゾール用アクチュエータを提供することにある。
【課題を解決するための手段】
【０００７】
本発明の二連式エアゾール用アクチュエータは、一対のステムを備える二連式エアゾール容器に用いられる二連式エアゾール用アクチュエータであって、一対の前記ステムに接続される一対のステム接続部と、一対の前記ステム接続部に連なる筒状のノズル部とを備え、一対の前記ステムから吐出された内容物を前記ノズル部から外部に吐出可能なノズル体と、前記ノズル部を前方に向けて突出させる貫通孔が設けられた前壁部と、前記ノズル体の両側部を覆う側壁部とを備え、前記二連式エアゾール容器に取り付けられたカバー体と、前記前壁部に揺動自在に連結されるとともに前記ノズル体の上方に配置され、前記ノズル体の側へ向けて押し下げられることにより前記ノズル体とともに一対の前記ステムを押し下げ操作可能な操作片と、を有し、前記操作片が、前記前壁部に揺動自在に連結される板状部と該板状部の後端部に該後端部から上方に向けて突出して設けられる突出壁部とを有し、前記板状部が僅かに下方に向けて凸となるように前後方向及び左右方向に湾曲する板状に形成されており、前記ノズル体が、内部に流路を備えて一対の前記ステム接続部に接続されるとともに前記ノズル部が設けられた連結体と、前記連結体の上面の前記ノズル部を挟んだ左右両側に設けられた一対の押下げ用の当接壁と、を有し、前記操作片が、前記板状部の周縁に下方に向けて延びて設けられ、前記操作片が下方に向けて押し下げられたときに前記当接壁に当接して前記ノズル体を下方に向けて押し下げるフランジを有し、前記フランジが、前記板状部の後端部において、前記突出壁部の下端に連なって前記板状部から下方に向けて突出しており、前記連結体が、該連結体の上面と後面との間に、前記ノズル部から離れるに連れて前記ステム接続部に近づく方向に傾斜する傾斜面を有し、前記傾斜面は、前記操作片を押下げ操作して前記ノズル体をストローク端にまで押し下げたときに前記操作片に当接しないように構成されていることを特徴とする。
【０００８】
本発明は、上記構成において、前記操作片が一対の前記ステムを押し切り位置まで押し下げた状態において、前記突出壁部の上端が該突出壁部の前記板状部との連接部分よりも上方に位置するのが好ましい。
【０００９】
本発明は、上記構成において、前記二連式エアゾール容器は、それぞれ前記ステムを備える一対のエアゾール缶を固定部材により並列に並べて固定したものであるのが好ましい。
【００１０】
本発明は、上記構成において、前記二連式エアゾール容器は、一対の前記ステムを備える１つのエアゾール缶であるのが好ましい。
【発明の効果】
【００１１】
本発明によれば、内容物を吐出させるために押し下げられた操作片がその押し下げ方向に対して下向きに傾斜したときに、板状部に沿った斜め下方に向けた力を突出壁部によりステムを押し下げる力に変換して、操作片の押し下げ操作を容易にすることができる。したがって、本発明によれば、一対のステムを備えた二連式エアゾール容器から内容物を吐出させる操作を容易に行うことができる二連式エアゾール用アクチュエータを提供することができる。
【図面の簡単な説明】
【００１２】
【図１】本発明の一実施の形態である二連式エアゾール用アクチュエータが用いられた二連式エアゾール容器の正面から見た半断面図である。
【図２】図１に示す二連式エアゾール容器の側方から見た断面図である。
【図３】図１に示す二連式エアゾール容器の背面図である。
【図４】図１に示す二連式エアゾール容器の平面図である。
【図５】図１に示す二連式エアゾール容器の操作片を押し下げた状態における側方から見た断面図である。
【発明を実施するための形態】
【００１３】
以下、図面を参照して本発明をより詳細に例示説明する。
【００１４】
図１〜図４に示す本発明の一実施の形態である二連式エアゾール用アクチュエータ（吐出具）１は、二連式エアゾール容器２に用いられる。二連式エアゾール容器２は、一対のエアゾール缶３を備えている。
【００１５】
一対のエアゾール缶３は、それぞれ、例えば金属製の有底筒状の容器本体３ａに、例えば金属製のマウンティングカップ３ｂの外縁を巻き締めして固着した構成となっており、マウンティングカップ３ｂに設けられたステム３ｃを容器本体３ａの内部に向けて押し下げると、容器本体３ａの内部に収容された内容物がステム３ｃの先端から吐出されるようになっている。なお、エアゾール缶３としては、ステム３ｃの押し下げによる内容物が吐出される構成のものであれば、種々の構成のものを用いることができる。
【００１６】
二連式エアゾール用アクチュエータ１は、これら一対のエアゾール缶３を並列に並べて固定する固定部材１０を有している。固定部材１０は固定盤とも呼ばれるものであり、それぞれのエアゾール缶３はそのマウンティングカップ３ｂの部分において固定部材１０に嵌合やアンダーカット等の手段により固定されて互いに並列に並べた状態に組み付けられる。
【００１７】
なお、固定部材１０は、これら一対のエアゾール缶３を並列に並べて固定することができるものであれば、その形状等は種々変更可能である。また、一対のエアゾール缶３の容器本体３ａの部分をシュリンクフィルム等で一体に包装するようにしてもよい。
【００１８】
二連式エアゾール用アクチュエータ１は、各エアゾール缶３のステム３ｃから吐出された内容物を外部に吐出するためのノズル体１１を有している。このノズル体１１は、それぞれ円筒状に形成されて対応するエアゾール缶３のステム３ｃの先端に嵌合し、当該ステム３ｃに接続される一対のステム接続部１２を有している。また、それぞれのステム接続部１２は、内部に流路を備えた連結体１３に接続され、この連結体１３には楕円断面の筒状に形成されたノズル部１４が設けられている。それぞれのエアゾール缶３のステム３ｃは、ステム接続部１２と連結体１３の流路とを介してノズル部１４に連通している。
【００１９】
ノズル体１１の連結部１３の上面のノズル部１４を挟んだ左右両側には、それぞれ押下げ用の当接壁１５が一体に設けられており、これらの当接壁１５の上面に押し下げ力を加えることにより、ノズル体１１を下方（ステムを容器本体に押し込む方向）に押し下げることができる。そして、ノズル本体１１を下方に押し下げることにより、各エアゾール缶３のステム３ｃを同時に下方に押し下げて、各ステム３ｃから内容物を吐出させることができる。各ステム３ｃから吐出された内容物は、連結体１３の流路を通してノズル部１４で合流し、ノズル部１４の先端から外部に吐出される。このように、ノズル体１１を押し下げることで、２つのエアゾール缶３に収容された２種類の内容液をノズル部１４から同時に外部に吐出させることができる。
【００２０】
なお、図示する場合では、ノズル部１４は連結体１３とは別体に形成されて連結体１３に嵌合固定される構成とされているが、ノズル部１４を連結体１３と一体に形成した構成とすることもできる。また、ノズル部１４の断面形状は楕円形状に限らず、例えば円形形状やトラック楕円形状などの他の断面形状とすることもできる。
【００２１】
一対のエアゾール缶３には、固定部材１０およびノズル体１１の外側に位置するようにカバー体１６が装着される。カバー体１６は、一対のエアゾール缶３の先端側部分と固定部材１０とを覆うスカート部１７と、ノズル体１１の前方（連結体１３に対してノズル部１４が突出する方向）に配置されてノズル体１１の前方側を覆う前壁部１８と、ノズル体１１の両側方に配置されてそれぞれノズル体１１の側方を覆う一対の側壁部１９とを備えている。前壁部１８には貫通孔１８ａが設けられ、ノズル部１４はこの貫通孔１８ａを通して前壁部１８の外側に向けて前方に突出している。
【００２２】
図１、図２に示すように、一対の側壁部１９の内面にはそれぞれ上下方向に延びる案内溝２０が設けられ、ノズル体１１に設けられた当接壁１５に連なる案内壁２１が案内溝２０に係合している。ノズル体１１を押し下げる際には、案内壁２１が案内溝２０に沿って相対移動することにより、ノズル体１１をステム３ｃに対して傾動させることなく真っ直ぐに押し下げることができる。
【００２３】
カバー体１６の前壁部１８には、ヒンジ部２２を介して操作片（操作レバー）２３が揺動自在に連結されている。操作片２３は、僅かに上方および側方に向けて湾曲する厚みが一定の板状に形成され、一端においてヒンジ部２２を介して前壁部１８に連結される板状部２４を有している。この板状部２４の周縁には下方に向けて延びる補強用のフランジ２５が一体に設けられている。また、板状部２４はノズル体１１の上方に配置され、そのフランジ２５の下面は所定の間隔を空けてノズル体１１の当接壁１５と対向している。
【００２４】
したがって、操作片２３を下方に向けて押し下げることにより、フランジ２５を当接壁１５に当接させてノズル体１１を下方に向けて押し下げることができる。つまり、操作片２３を下方に向けて押し下げることにより、各エアゾール缶３のステム３ｃを、それぞれ容器本体３ａに向けて押し込んで、ノズル部１４から内容物を吐出せることができる。
【００２５】
図１〜図３に示すように、カバー体１６には、前壁部１８、一対の側壁部１９およびノズル部１４の先端部分を覆うオーバーキャップ２６を装着することもできる。流通時等においてカバー体１６にオーバーキャップ２６を装着しておくことにより、操作片２３の誤操作やノズル部１４の内部への異物の侵入等を防止することができる。
【００２６】
この二連式エアゾール用アクチュエータ１では、操作片２３を構成する板状部２４の後端部つまりヒンジ部２２に連結される端部とは反対側の端部には、当該後端部から上方に向けて突出する突出壁部２７が設けられている。図示する場合では、突出壁部２７は、板状部２４の幅方向の一方側から他方側にまで延びるとともに板状部２４の上方を向く表面に対して略垂直に起立する壁状に形成されている。
【００２７】
突出壁部２７の板状部２４の表面からの突出高さは、例えば、突出壁部２７の上端（板状部２４に連なる連接部分とは反対側の上方の端部）を指の腹で押し下げたときに、当該指の腹が板状部２４の表面に接触しない程度に設定することも可能である。
【００２８】
また、突出壁部２７は、操作片２３が一対のステム３ｃを押し切り位置まで押し下げた状態において、その上端が該突出壁部２７の板状部２４との連接部分よりも上方に位置するような角度ないし形状に形成されるのが好ましい。
【００２９】
なお、図示する場合では、突出壁部２７を板状部２４と一体に形成するようにしているが、別体のものを組み付けた構成とすることもできる。
【００３０】
このような構成の二連式エアゾール用アクチュエータ１では、一対のエアゾール缶３が装着された状態において、使用者が指によりその操作片２３を下方に向けて押し下げることで、一対のエアゾール缶３に収容された内容物をノズル部１４の先端から外部に吐出させることができる。
【００３１】
このとき、指により操作片２３が押し下げられると、その板状部２４が押し下げ方向に対して下方に向けて傾斜し、これにより指が板状部２４に加える力のうち、押下げ力としてノズル体１１に伝達される力の割合が低下し、その操作に大きな力が必要となってくる。
【００３２】
これに対して、本発明では、板状部２４の後端に突出壁部２７を設けたので、この突出壁部２７の上端に指をかけて押し下げ操作を行うことにより、板状部２４に沿った斜め下方に向けた力を突出壁部２７によってステム３ｃを押し下げる方向の力に変換して、操作片２３の押し下げに必要な力を減少させて、当該操作を容易に行わせることができる。特に、エアゾール缶３に収容された内容物の残量が少なくなり、内容物を吐出させるためのガス圧も低くなった場合には、ステム３ｃを押し切り位置にまで押し下げるために板状部２４は大きく傾斜することになるが、この場合においても、突出壁部２７に指をかけて押し下げ操作を行うことにより、その押し下げ操作を小さい力で容易に行うことができる。
【００３３】
また、操作片２３が一対のステム３ｃを押し切り位置まで押し下げた状態において、突出壁部２７の上端はその板状部２４との連接部分よりも上方に位置するような姿勢とされるので、突出壁部２７を押下げ操作する指の当該突出壁部２７への引っ掛かりを良くして、その操作をさらに容易にすることができる。
【００３４】
したがって、本発明の二連式エアゾール用アクチュエータ１を用いることにより、一対のステム３ｃを備えた二連式エアゾール容器２から内容物を吐出させる操作を容易にすることができる。
【００３５】
本発明は前記実施の形態に限定されるものではなく、その要旨を逸脱しない範囲で種々変更可能であることはいうまでもない。
【００３６】
例えば、前記実施の形態においては、二連式エアゾール容器２として、それぞれステム３ｃを備える一対のエアゾール缶３を備えた構成のものを採用したが、これに限らず、一１つのエアゾール缶３の容器本体３ａの内部に２つの収容空間を備え、マウンティングカップ３ｂに各収容空間に対応した一対のステム３ｃが設けられた構成のものを用いることもできる。
【符号の説明】
【００３７】
１    二連式エアゾール用アクチュエータ
２    二連式エアゾール容器
３    エアゾール缶
３ａ  容器本体
３ｂ  マウンティングカップ
３ｃ  ステム
１０    固定部材
１１    ノズル体
１２    ステム接続部
１３    連結体
１４    ノズル部
１５    当接壁
１６    カバー体
１７    スカート部
１８    前壁部
１８ａ  貫通孔
１９    側壁部
２０    案内溝
２１    案内壁
２２    ヒンジ部
２３    操作片
２４    板状部
２５    フランジ
２６    オーバーキャップ
２７    突出壁部
【図１】
0006612495.tif 000002
【図２】
0006612495.tif 000003
【図３】
0006612495.tif 000004
【図４】
0006612495.tif 000005
【図５】
0006612495.tif 000006